(57)【要約】【課題】新幹線区間と在来線区間とを走行する高速鉄道車両において、新幹線区間でパンタグラフ遮音板を突出させて遮音効果を得ることができ、在来線区間も走行可能とすることを目的とする。【解決手段】在来線区間と新幹線区間とを走行する高速鉄道車両で、パンタグラフ２の部位に対応して、車体３の左右側部に左右の遮音板昇降装置ユニット４Ｌ，４Ｒを設ける。遮音板昇降装置ユニット４Ｌ，４Ｒは外側が、車体３の側面を構成する側パネル５Ｌ，５Ｒによって覆われる。在来線区間では、パンタグラフ遮音板６Ｌ，６Ｒを車体３内に位置させ、下側位置Ｐ２とする。一方、新幹線区間では、持ち上げ駆動用エアシリンダ１２を動作させ、パンタグラフ遮音板６Ｌ，６Ｒが屋根の上でパンタグラフ２の両側に位置する上側位置Ｐ１とする。【選択図】  図２
2006347251.tif 000002
【特許請求の範囲】
【請求項１】
在来線区間と新幹線区間とを走行する高速鉄道車両のパンタグラフ遮音板昇降装置であって、
パンタグラフが設けられている部位に対応して、前記車両の車体の左右側部にパンタグラフ遮音板がそれぞれ昇降可能に支持され、
前記各パンタグラフ遮音板が昇降手段に連結され、前記昇降手段は、前記パンタグラフ遮音板が前記パンタグラフの外側に位置する上側位置と、前記パンタグラフ遮音板が前記車体内部に格納される下側位置との間で前記パンタグラフ遮音板を昇降させる構成とされていることを特徴とする高速鉄道車両のパンタグラフ遮音板昇降装置。
【請求項２】
前記昇降手段は、前記パンタグラフ遮音板を上下方向に昇降可能に支持する支持機構と、前記パンタグラフ遮音板の下部に連結され前記パンタグラフ遮音板を昇降させるアクチュエータとを備えることを特徴とする請求項１記載の高速鉄道車両のパンタグラフ遮音板昇降装置。
【請求項３】
前記パンタグラフ遮音板および前記昇降手段は、上面が開放された箱形状のユニット枠内に収納されて遮音板昇降装置ユニットとして構成され、
前記車両の車体の左右側部に配置された遮音板昇降装置ユニットの外側が、前記車体の側面を構成する側パネルにて覆われていることを特徴とする請求項１または２記載の高速鉄道車両のパンタグラフ遮音板昇降装置。
【請求項４】
前記支持機構は、前記ユニット枠に固定され上下方向に平行に延びる１対のガイドレールと、前記パンタグラフ遮音板の下部に設けられ前記ガイドレールにスライド可能に係合するスライダとを備え、
前記ガイドレールの間に、前記アクチュエータが配置されている請求項２または３記載の高速鉄道車両のパンタグラフ遮音板昇降装置。
【請求項５】
前記支持機構は、さらに、前記パンタグラフ遮音板の下面部と前記ユニット枠の底枠部分との間に設けられ１対のリンク部材をＸ字状に連結して構成されるリンク機構を備え、
前記各リンク部材の上端部が前記パンタグラフ遮音板の下面部に、下端部が前記ユニット枠の下面部にそれぞれスライド可能かつ回転可能に結合されている請求項４記載の高速鉄道車両のパンタグラフ遮音板昇降装置。
【請求項６】
前記アクチュエータは、下端部が前記両リンク部材の連結部に、上端部が前記ユニット枠の上部にそれぞれ結合されるエアシリンダである請求項５記載の高速鉄道車両のパンタグラフ遮音板昇降装置。
【請求項７】
前記ガイドレールとスライダとは、前記パンタグラフ遮音板の一側面側に設けられ、
前記パンタグラフ遮音板の他側面側に、前記両リンク部材の連結部とエアシリンダとの結合部分を案内する案内機構が設けられている請求項４〜６のいずれかに記載の高速鉄道車両のパンタグラフ遮音板昇降装置。
【請求項８】
前記ユニット枠は、下部に少なくとも排水部が設けられ、この排水部が、車体に設けられた排水孔または排水通路と連通している請求項３〜７のいずれかに記載の高速鉄道車両のパンタグラフ遮音板昇降装置。
【発明の詳細な説明】
【技術分野】
【０００１】
本発明は、高速鉄道車両のパンタグラフ遮音板昇降装置に関するものである。
【背景技術】
【０００２】
従来より、集電装置としてのパンタグラフを備える高速鉄道車両（例えば、新幹線など）は、高速走行時に、屋根の上に設置されたパンタグラフによって、スパーク音、摺動音、空力音などの騒音が発生するために、沿線への騒音対策上、パンタグラフの周囲に遮音壁（カバー部）が設けられたものが知られている（例えば特許文献１参照）。
【０００３】
新幹線区間あるいは在来線区間のいずれの区間も走行可能である新在直通車両が知られており、そのような新在直通車両は、多くの場合、新幹線区間では他の高速鉄道車両と併結して運転されている。
【０００４】
新幹線区間と在来線区間とは、車両限界が大きく異なるので、これらいずれの区間も走行する新在直通車両は、特許文献１に記載のように、定位置に遮音壁を固定して設けるのが困難である。
【０００５】
そこで、そのような遮音壁を可動式（昇降式）にして、車両限界が小さい在来線区間では、遮音壁を車体内に収納することが考えられる。
【０００６】
ところで、鉄道車両がトンネル内に入ると、これを自動的に検知して、パンタグラフ側壁を収納させて、パンタグラフ側壁に起因する変動空気力をなくし、トンネル内においても快適な乗り心地を提供するようにしたものが提案されている（例えば、特許文献２参照）。
【特許文献１】特開平１０−６６２０２号公報（段落００２５〜００３０および図１，図２）
【特許文献２】特開２００３−２７６５９９号公報（段落００２５〜００２７および図３）
【発明の開示】
【発明が解決しようとする課題】
【０００７】
特許文献２に記載の技術は、パンタグラフ側壁が支持ガイドに沿って、ラック・アンド・ピニオン機構によって昇降される構成であるため、パンタグラフ側壁が収納された後に支持ガイドが屋根の上に突出した状態になる。そのため、新幹線区間と在来線区間とを走行し車両限界が異なる新在直通車両にそのまま適用することはできない。つまり、新幹線区間より車両限界が小さい在来線区間では、前記支持ガイドが屋根の上に突出しているため、車両限界を超えることになる。
【０００８】
本発明は、かかる点に鑑みてなされたもので、新幹線区間と在来線区間とを走行する高速鉄道車両において、在来線区間で車両限界を超えることなく、新幹線区間で遮音効果を得ることができる高速鉄道車両のパンタグラフ遮音板昇降装置を提供することを目的とする。
【課題を解決するための手段】
【０００９】
請求項１の発明は、在来線区間と新幹線区間とを走行する高速鉄道車両のパンタグラフ遮音板昇降装置であって、パンタグラフが設けられている部位に対応して、前記車両の車体の左右側部にパンタグラフ遮音板がそれぞれ昇降可能に支持され、前記各パンタグラフ遮音板が昇降手段に連結され、前記昇降手段は、前記パンタグラフ遮音板が前記パンタグラフの外側に位置する上側位置と、前記パンタグラフ遮音板が前記車体内部に格納される下側位置との間で前記パンタグラフ遮音板を昇降させる構成とされていることを特徴とする。ここで、前記上側位置では、少なくとも碍子の側方をパンタグラフ遮音板が覆う必要があることは言うまでもない。
【００１０】
このようにすれば、新幹線区間を走行する高速走行時には、パンタグラフ遮音板を上側位置とすることで、パンタグラフ遮音板がパンタグラフの外側に位置することになり、パンタグラフ部分の騒音が沿線に伝播するのがパンタグラフ遮音板によって遮断され、遮音効果が得られる。一方、在来線区間を走行する時には、パンタグラフ遮音板を下側位置に移動させることで、前記車体内部に格納され、空気抵抗となるような（車体外部への）突出部分がなくなり、在来区間を走行しても車両限界を侵すおそれがない。
【００１１】
このように、パンタグラフ遮音板のみを上側位置と下側位置との間で昇降（移動）させることで、在来線区間で在来線車両限界を侵すことがなく、新幹線区間でパンタグラフ遮音板による遮音効果を得ることができる。
【００１２】
請求項２に記載のように、前記昇降手段は、前記パンタグラフ遮音板を上下方向に昇降可能に支持する支持機構と、前記パンタグラフ遮音板の下部に連結され前記パンタグラフ遮音板を昇降させるアクチュエータとを備える構成とすることができる。ここで、支持機構は、１対のリンク部材をＸ字状に連結して構成されるリンク機構(請求項５参照）に限定されず、パンタグラフ遮音板を上下方向に安定して昇降可能に支持することができるものすべてを含む。同様に、アクチュエータも、エアシリンダ(請求項６参照）に限定されず、各種のものを含む。
【００１３】
このようにすれば、パンタグラフ遮音板を支持機構で支持しながら、アクチュエータでパンタグラフ遮音板を昇降させるので、パンタグラフ遮音板を安定性よく昇降させることができる。
【００１４】
請求項３に記載のように、前記パンタグラフ遮音板および前記昇降手段は、上面が開放された箱形状のユニット枠内に収納されて遮音板昇降装置ユニットとして構成され、前記車両の車体の左右側部に配置された遮音板昇降装置ユニットの外側が、前記車体の側面を構成する側パネルにて覆われていることが望ましい。
【００１５】
このようにすれば、支持機構とアクチュエータとは、共にユニット枠内に収納されて遮音板昇降装置ユニットが構成されるので、パンタグラフ遮音板を昇降させる要素が新幹線車両限界や在来線車両限界を侵すおそれがないように遮音板昇降装置ユニットを組み立て、車体の左右側部に簡単に取り付けることができる。また、パンタグラフが設けられている部位に対応して車体の左右側部にパンタグラフの騒音対策のための遮音板昇降装置ユニットを取り付けるようにすれば、車体とは関係なく別の場所で遮音板昇降装置ユニットを組み立てることができ、また、その車体への取付けも簡単に行うことができる。さらに、前記遮音板昇降装置ユニットの外側は、前記車体の側面を構成する側パネルにて覆われているので、車体の外観を損ねることもない。
【００１６】
請求項４に記載のように、前記支持機構は、前記ユニット枠に固定され上下方向に平行に延びる１対のガイドレールと、前記パンタグラフ遮音板の下部に設けられ前記ガイドレールにスライド可能に係合するスライダとを備え、前記ガイドレールの間に、前記アクチュエータが配置されている構成とすることができる。
【００１７】
このようにすれば、ガイドレールとスライダとの係合関係で、パンタグラフ遮音板の昇降（上下動）がスムーズに案内される。また、ガイドレールの間であって前記ユニット枠とパンタグラフ遮音板との間に形成される隙間（デッドスペース）を利用して、アクチュエータを無理なく配置することができる。
【００１８】
請求項５に記載のように、前記支持機構は、さらに、前記パンタグラフ遮音板の下面部と前記ユニット枠の下面部との間に設けられ１対のリンク部材をＸ字状に連結して構成されるリンク機構を備え、前記各リンク部材の上端部が前記パンタグラフ遮音板の下面部に、下端部が前記ユニット枠の底枠部分にそれぞれスライド可能かつ回転可能に結合されている構成とすることができる。
【００１９】
このようにすれば、１対のリンク部材をＸ字状に連結して構成されるリンク機構によって、パンタグラフ遮音板を下側から、安定して上下方向において昇降可能に支持することができる。
【００２０】
請求項６に記載のように、前記アクチュエータは、下端部が前記両リンク部材の連結部に、上端部が前記ユニット枠の上部にそれぞれ結合されるエアシリンダである構成とすることができる。
【００２１】
このようにすれば、リンク部材の連結部（交差部）をエアシリンダの動作にて上下方向に変位させることで、リンク機構の形態（上下方向の高さ）を変化させ、それによりパンタグラフ遮音板を上下方向において昇降させることができる。
【００２２】
請求項７に記載のように、前記ガイドレールとスライダとは、前記パンタグラフ遮音板の一側面側に設けられ、前記パンタグラフ遮音板の他側面側に、前記両リンク部材の連結部とエアシリンダとの結合部分を案内する案内機構が設けられていることが望ましい。
【００２３】
このようにすれば、パンタグラフ遮音板の内側と外側において前記パンタグラフ遮音板の昇降を案内するので、上側位置と下側位置との間におけるパンタグラフ遮音板の昇降が安定して行われる。
【００２４】
請求項８に記載のように、前記ユニット枠は、下部に少なくとも排水部が設けられ、この排水部が、車体に設けられた排水孔または排水通路と連通していることが望ましい。
【００２５】
このようにすれば、開放された上面から浸入した雨水などはユニット枠内に溜まることなく、ユニット枠下部の排水部を通じて、車体の排水孔または排水通路に自然に排出される。
【発明の効果】
【００２６】
以上のように構成したから、本発明は、車体に対しパンタグラフ遮音板を、前記パンタグラフ遮音板がパンタグラフの外側に位置する上側位置と、前記パンタグラフ遮音板が前記車体内部に格納される下側位置との間で昇降させるようにしているので、新幹線区間では前記パンタグラフ遮音板を前記上側位置とすることで、パンタグラフ遮音板による遮音効果を得ることができる。
【発明を実施するための最良の形態】
【００２７】
以下、本発明の実施の形態について図面に沿って詳細に説明する。
【００２８】
図１は本発明の一実施の形態である高速鉄道車両のパンタグラフ遮音板昇降装置が取り付けられた高速鉄道車両の側面図、図２は同縦断面図である。
【００２９】
図１および図２に示すように、１は在来線区間と新幹線区間とを走行する高速鉄道車両で、パンタグラフ２が設けられている部位に対応して、車体３の左右側部に左右の遮音板昇降装置４Ｌ，４Ｒがそれぞれ配置されている。そして、左右の遮音板昇降装置ユニット４Ｌ，４Ｒはそれぞれ外側が、車体３の側面を構成する側パネル５Ｌ，５Ｒによって覆われている。
【００３０】
よって、車体３の側方から見た状態では、通常の車体３の側面と同様に見えるので、外観を損ねることはない。なお、２Ａはパンタグラフ２に接続される給電ケーブルで、車体３内の上部に車体前後方向に延びるように配置されている。
【００３１】
遮音板昇降装置ユニット４Ｌ，４Ｒは、上面が開放された箱形状の、後述するユニット枠１１Ｌ，１１Ｒを有し、このユニット枠１１Ｌ，１１Ｒ内に、パンタグラフ遮音板６Ｌ，６Ｒが、パンタグラフ２の外側に位置する上側位置Ｐ１（図３参照）と、車体３の内部に格納される下側位置Ｐ２（図４参照）との間を昇降可能に設けられている。この昇降は、アクチュエータである持ち上げ駆動用エアシリンダ１２によって行われる。なお、このエアシリンダ１２は、ユニット４Ｌ，４Ｒが車体に設けられた状態で、車載のエア源に制御装置（図示せず）を介して接続され、駆動される。
【００３２】
左右の遮音板昇降装置ユニット４Ｌ，４Ｒは、各部品が対称に配置され、かつ形状が対称である点を除き、基本的に同様の構成であるので、以下、左側の遮音板昇降装置ユニット４Ｌについて説明する。
【００３３】
この左の遮音板昇降装置ユニット４Ｌを車体３の左側部に取り付けるには、図５〜図７に示すように行う。つまり、車体３の左側部の下側部分に形成される排水通路部３ａ上に遮音板昇降装置ユニット４Ｌを載置し、それから、その外側に、車体３３の側面を構成する側パネル５Ｌを取り付ける。側パネル５Ｌには、パンタグラフ遮音板６Ｌが昇降するための開口を形成する切り欠き部５Ｌａが上部に形成されている。これにより、遮音板昇降装置ユニット４Ｌの外側が、側パネル５Ｌによって覆われ、外観を損ねることがない。なお、遮音板昇降装置ユニット４Ｌが取り付けられる車体（側構体）の左側部に、ユニット４Ｌに対応する大きさの凹部を形成し、その凹部にユニット４Ｌを嵌め込んで取り付けるようにしてもよいし、そのような凹部を形成することなく取り付けるようにすることも可能である。また、このユニット４Ｌの外側を覆う側パネル５Ｌの一部分のみ、他の部分とは別体とすることも可能である。
【００３４】
遮音板昇降装置ユニット４Ｌは、上面が開放された箱形状のユニット枠１１Ｌを有する。このユニット枠１１Ｌは、車体３内方側に位置する内側枠部分１１ＬＡと、車体３の外側に位置する外側枠部分１１ＬＢと、内側および外側枠部分１１ＬＡ，１１ＬＢの下端縁部を連結する下側枠部分１１ＬＣ（底枠部分）と、内側および外側枠部分１１ＬＡ，１１ＬＢの前後端縁部を連結する前後側枠部分１１ＬＤ，１１ＬＥとを有し、上面が開放された箱形状の箱形状の骨組構造とされている。よって、ユニット枠１１Ｌに浸入した雨水などは、下側枠部分１１ＬＣの骨部材の間を通じて排水通路部３ａに排水される。
【００３５】
このユニット枠１１Ｌのうち内側枠部分１１ＬＡには、図８に示すように、上下方向に平行に延びる４本のガイドレール１４が固定され、これらのガイドレール１４にスライド可能に係合するスライダ１５がパンタグラフ遮音板６Ｌの下部に設けられている。なお、このガイドレール１４およびスライダ１５としては、後述するエアシリンダ１２による自己保持力だけでは上側位置Ｐ１を維持することができない場合には、上昇位置Ｐ１での停止状態の保持を確実とするために、バネと空気力とでブレーキ力を発揮するリニアブロックとリニアレールとを用いることができる。
【００３６】
また、パンタグラフ遮音板６Ｌには、図９に示すように、内側枠部分１１ＬＡに設けられたストッパ部１１ＬＡａ，１１ＬＡａが係合する細長い第１の切り欠き部６Ｌａ，６Ｌａが２つ平行に形成され、この切り欠き部６Ｌａ，６Ｌａの下側部分に連通して、後述するリンク機構１６が収納される台形状の第２の切り欠き部６Ｌｂも形成されている。
【００３７】
図１０に示すように、４本のガイドレール１４のうち中央側に位置する２本のガイドレール１４の間であって内側枠部分１１ＬＡとパンタグラフ遮音板６Ｌとの間に、持ち上げ駆動用エアシリンダ１２が配置されている。ここで、内側枠部分１１ＬＡとパンタグラフ遮音板６Ｌとの間であっても、内側枠部分１１ＬＡを構成する縦骨部材の間に一部重複して配置されるので、遮音板昇降装置ユニット４Ｌの厚さ（内側および外側枠部分１１ＬＡ，１１ＬＢの間隔）を薄く、コンパクト化を図る上で有利になっている。
【００３８】
この持ち上げ駆動用エアシリンダ１２は、シリンダ本体１２Ａと、ピストンロッド１２Ｂとを有し、シリンダ本体１２Ａの基端部が内側枠部分１１ＬＡの上部の取り付け部１１ＬＡｂに結合されている。
【００３９】
パンタグラフ遮音板６Ｌの下部（第２の切り欠き部６Ｌｂの部位）と下側枠部分１１ＬＣとの間には、図１１に示すように、１対のリンク部材１６Ａ，１６Ｂを連結軸部材１７にてＸ字状に、連結して構成される持ち上げ用リンク機構１６が設けられている。つまり、各リンク部材１６Ａ，１６Ｂの上端部がパンタグラフ遮音板６Ｌの下端部のスライダ１８に、下端部が下側枠部分１１ＬＣのスライダ１９にそれぞれスライド可能かつ回転可能に軸支されている。このスライダ１８，１９が、パンタグラフ遮音板６Ｌの昇降の際にスライドして持ち上げ用リンク機構１６の状態（高さ）を変化させるようになっている。
【００４０】
このようにして、側面視で矩形板形状のパンタグラフ遮音板６Ｌを上下方向に昇降可能に支持する支持機構が構成され、その外側に、図１２に示すように、外側枠部分１１ＬＢがボルトなどを用いて締結され、遮音板昇降装置ユニット４Ｌが構成される。
【００４１】
また、持ち上げ駆動用エアシリンダ１２のピストンロッド１２Ｂの先端部（下端部）が、両リンク部材１６Ａ，１６Ｂを連結する連結軸部材１７の内端部に結合されている。この連結軸部材１７の外端部にはベアリング１８が設けられ、このベアリング１８が、外側枠部分１１ＬＢに形成される（上下方向の）長穴状の案内部１１ＬＢａに上下方向に昇降可能に係合している。
【００４２】
このように、ガイドレール１４とスライダ１５とによる案内機構は、パンタグラフ遮音板６Ｌの一側である車体内方側に設けられる一方、パンタグラフ遮音板６Ｌの他側である車体外方側に、連結軸部材１７の外端部と案内部１１ＬＢａによる案内機構が設けられている。
【００４３】
これにより、パンタグラフ遮音板６Ｌは、内側と外側の両側で案内されるので、昇降の際にふらつくことがなく、パンタグラフ遮音板６Ｌは、車体３の屋根の上でパンタグラフ２の外側に（パンタグラフ遮音板６Ｌの一部（上側部分））が突出して位置する上側位置Ｐ１と、車体３の内部にパンタグラフ遮音板６Ｌの全体が格納される下側位置Ｐ２とを択一的にとるように昇降する。
【００４４】
パンタグラフ遮音板６Ｌが上側位置Ｐ１にあるときには、新幹線車両限界Ｌ１内に位置しているが、在来線車両限界Ｌ２については一部がその限界Ｌ２を超えているので、在来線区間では、パンタグラフ遮音板６Ｌは下側位置Ｐ２とされる。
【００４５】
上記のように構成すれば、新幹線区間での高速走行時には、パンタグラフ遮音板６Ｌ，６Ｒがパンタグラフ２の左右両側においてエアシリンダ１２の作動により上昇させる。すなわち屋根の上にパンタグラフ遮音板６Ｌ，６Ｒの上側部分が突出してパンタグラフ２の外側に位置する上側位置Ｐ１となる。この場合、持ち上げ用リンク機構１６および持ち上げ駆動用エアシリンダ１２は、車体３の内部に位置しており、外部に突出していない。
【００４６】
これにより、パンタグラフ２によって発生する、スパーク音、摺動音、空力音などの騒音がパンタグラフ遮音板６Ｌ，６Ｒによって遮音（遮断）される。つまり、パンタグラフ遮音板６Ｌ，６Ｒが、パンタグラフ２の左右両側の遮音壁として機能し、沿線への騒音対策が図られる。この状態では、パンタグラフ遮音板６Ｌ，６Ｒは新幹線車両限界Ｌ１内にある。
【００４７】
一方、在来線区間を走行する場合には、上側位置Ｐ１のままでは、在来線車両限界Ｌ２の外側にパンタグラフ遮音板６Ｌ，６Ｒの一部（上側部分）が位置することになるので、持ち上げ駆動用エアシリンダ１２の作動により下側位置Ｐ２とされ、パンタグラフ遮音板６Ｌ，６Ｒは車体３内に格納されて、パンタグラフ遮音板６Ｌ，６Ｒ全体が在来線車両限界Ｌ２内になるようにされる。
【００４８】
上側位置Ｐ１から下側位置Ｐ２に変更するには、上側位置Ｐ１では持ち上げ駆動用エアシリンダ１２はシリンダ本体１２Ｂからピストンロッド１２Ａが大きく突出した状態となっているので、持ち上げ駆動用エアシリンダ１２を動作させて、ピストンロッド１２Ｂがシリンダ本体１２Ａ内に収納させる。これにより、持ち上げ用リンク機構１６を高さが低くなる方向に変形させることで、パンタグラフ遮音板６Ｌ，６Ｒが下降して、下側位置Ｐ２となる。このとき、ガイドレール１４とスライダ１５とによる案内機構と、連結軸部材１７の外端部と案内部１１ＬＢａによる案内機構とによって、パンタグラフ遮音板６Ｌ，６Ｒの両側部分においてパンタグラフ遮音板６Ｌ，６Ｒの上下方向における昇降が案内されるので、パンタグラフ遮音板６Ｌ，６Ｒはスムーズに下降する。
【００４９】
前記実施の形態のほか、本発明は次のように変更することもできる。
(i)ガイドレール１４とスライダ１５とによる案内機構と、連結軸部材１７の外端部と案内部１１ＬＢａによる案内機構を併用しているが、一方の案内機構だけとすることも可能である。その場合には、例えば、持ち上げ用リンク機構１６を介してパンタグラフ遮音板６Ｌ，６Ｒを支持させ、そのパンタグラフ遮音板６Ｌ，６Ｒとユニット枠との間にアクチュエータとしてのエアシリンダを設けることも可能である。
(ii)パンタグラフ遮音板６Ｌ，６Ｒは、一定の剛性を有する板材で形成され、上側位置では少なくとも碍子の側方を覆うものであれば、その基本形状は特に制限されず、側面視で矩形板形状のほか、上側部分のみを側面視で台形状にすることも可能である。例えば、走行抵抗（高速走行時の空気抵抗）が小さくなるように、水平断面において前側部分と後側部分を流線形状にすることも可能である。
(iii)前記ユニット枠１１Ｌは、枠部分１１ＬＡ，１１ＬＢ，１１ＬＣはそれぞれ縦骨部材と横骨部材が適宜組み合わせて構成され、枠部分１１ＬＤ，１１ＬＥは横骨部材だけで構成される骨組構造としているが、本発明はそれに制限されるものではなく、例えば上面が開放された箱形状のケーシングとすることも可能である。その場合には、例えば車両の車体３の左右側部に、パンタグラフが設けられている部位に対応して遮音板昇降装置ユニットをそれぞれ取り付け、その取り付け状態で、ケーシングの下部に設けた排水部が、車体３に設けられた排水孔部または排水通路部と連通している構成とすれば、排水は可能となる。
(iv)前記実施の形態においては、パンタグラフが設けられている部位に対応して、前記車両の車体の左右側部に遮音板昇降装置ユニットを設けているが、本発明はそれに限定されるものではなく、パンタグラフ遮音板を昇降可能に支持する昇降手段を、ユニット化することなく、パンタグラフが設けられている部位に対応して前記車両の車体の左右側部に直接組み込んで、その外側を、車体側面を構成する側パネルにて覆う構成とすることも可能である。この場合には、例えば、前記パンタグラフ遮音板を上下方向に昇降可能に支持する支持機構と、前記パンタグラフ遮音板の下部に連結され前記パンタグラフ遮音板を昇降させるアクチュエータとを備える構成とすることができる。
【図面の簡単な説明】
【００５０】
【図１】本発明の一実施の形態である高速鉄道車両のパンタグラフ遮音板昇降装置が取り付けられた高速鉄道車両の側面図である。
【図２】同縦断面図である。
【図３】パンタグラフ遮音板が上側位置にある状態を示す図である。
【図４】パンタグラフ遮音板が下側位置にある状態を示す図である。
【図５】遮音板昇降装置ユニットの組立手順の説明図である。
【図６】遮音板昇降装置ユニットの組立手順の説明図である。
【図７】遮音板昇降装置ユニットの組立手順の説明図である。
【図８】遮音板昇降装置ユニットの要部の説明図である。
【図９】遮音板昇降装置ユニットの要部の説明図である。
【図１０】遮音板昇降装置ユニットの要部の説明図である。
【図１１】遮音板昇降装置ユニットの要部の説明図である。
【図１２】遮音板昇降装置ユニットの要部の説明図である。
【符号の説明】
【００５１】
１    高速鉄道車両
２    パンタグラフ
３    車体
３ａ    排水通路部
４Ｌ，４Ｒ    遮音板昇降装置ユニット
５Ｌ，５Ｒ    側パネル
６Ｌ，６Ｒ    パンタグラフ遮音板
１１Ｌ    ユニット枠
１２    持ち上げ駆動用エアシリンダ（アクチュエータ）
１４    ガイドレール
１５    スライダ
１６    持ち上げ用リンク機構
【図１】
2006347251.tif 000003
【図２】
2006347251.tif 000004
【図３】
2006347251.tif 000005
【図４】
2006347251.tif 000006
【図５】
2006347251.tif 000007
【図６】
2006347251.tif 000008
【図７】
2006347251.tif 000009
【図８】
2006347251.tif 000010
【図９】
2006347251.tif 000011
【図１０】
2006347251.tif 000012
【図１１】
2006347251.tif 000013
【図１２】
2006347251.tif 000014